(57)【要約】【課題】  補給されたトナーと現像剤の撹拌性及びトナー補給の応答性を向上させると共に、濃度ムラやオーガーマークの発生を防止することが可能な現像装置及びこれを用いた画像形成装置を提供する。【解決手段】  軸方向の一部領域には、第二現像剤収容部３３ｂと連通するトナー補給路３７が形成されていると共に、仕切部材３９の表面には、流出した二成分現像剤Ｇをトナー補給路３７よりもアドミックスオーガー３６ｂの搬送方向下流側に導くガイド部４０が形成されており、かつ、第二現像剤収容部３３ｂのトナー補給路３７に対応する領域は、トナーが消費されていない状態において、上部に空隙が生じないように二成分現像剤Ｇで満たされていると共に、第二現像剤収容部３３ｂのトナー補給路３７に対応しない領域は、トナーが消費されている状態において、上部に空隙が生じるように二成分現像剤Ｇで満たされないように形成されていることを特徴とする。【選択図】          図２
2006058667.tif 000002
【特許請求の範囲】
【請求項１】
トナーと磁性キャリアとが含まれる二成分現像剤を磁力により担持搬送する回転自在の現像剤担持体と、該現像剤担持体に隣接して二成分現像剤を収容する第一現像剤収容部と、この第一現像剤収容部に隣接し、軸方向端部領域において第一現像剤収容部と連通する第二現像剤収容部と、現像剤担持体により担持搬送される二成分現像剤の層厚を所定の厚さに規制すると共に、余剰な現像剤を堰き止める層厚規制部材と、この層厚規制部材に対して現像剤担持体の回転方向上流側に配設され、層厚規制部材により堰きとめられた余剰現像剤をトナー濃度に応じて第一現像剤収容部又は第二現像剤収容部に導入する仕切部材と、第一現像剤収容部内に配設され、二成分現像剤を軸方向に撹拌搬送するサプライオーガーと、第二現像剤収容部内において、該サプライオーガーと隔壁を隔てて略水平に配設され、二成分現像剤を軸方向に撹拌搬送するアドミックスオーガーとを有し、現像剤収容部のトナー濃度が一定となるように自律的に濃度調整を行う現像装置において、
前記第二現像剤収容部の側壁の軸方向の一部領域には、第二現像剤収容部と連通するトナー補給路が形成されていると共に、前記仕切部材の表面には、仕切部材上に流出した二成分現像剤を該トナー補給路よりもアドミックスオーガーの搬送方向下流側に導くガイド部が形成されており、かつ、第二現像剤収容部のトナー補給路に対応する領域は、トナーが消費されていない状態において、上部に空隙が生じないように二成分現像剤で満たされていると共に、第二現像剤収容部のトナー補給路に対応しない領域は、トナーが消費されている状態において、二成分現像剤で満たされずに上部に空隙が生じるように形成されていることを特徴とする現像装置。
【請求項２】
トナーと磁性キャリアとが含まれる二成分現像剤を磁力により担持搬送する回転自在の現像剤担持体と、該現像剤担持体に隣接して二成分現像剤を収容する第一現像剤収容部と、この第一現像剤収容部に隣接し、軸方向端部領域において第一現像剤収容部と連通する第二現像剤収容部と、第二現像剤収容部に隣接し、軸方向の一部領域に設けられたトナー補給路を通じて第二現像剤収容部にトナーを供給可能に収容するトナー収容部と、現像剤担持体により担持搬送される二成分現像剤の層厚を所定の厚さに規制すると共に、余剰な現像剤を堰き止める層厚規制部材と、この層厚規制部材に対して現像剤担持体の回転方向上流側に配設され、層厚規制部材により堰きとめられた余剰現像剤をトナー濃度に応じてトナー収容部側に導入する仕切部材と、第一現像剤収容部内に配設され、二成分現像剤を軸方向に撹拌搬送するサプライオーガーと、第二現像剤収容部内において、該サプライオーガーと隔壁を隔てて略水平に配設され、二成分現像剤を軸方向に撹拌搬送するアドミックスオーガーとを有し、現像剤収容部のトナー濃度が一定となるように自律的に濃度調整を行う現像装置において、
前記仕切部材の下端部には、軸方向の一部領域に、前記トナー補給路に連通する供給口が形成されていると共に、前記仕切部材の表面には、仕切部材上に流出した二成分現像剤を、該供給口を避けてトナー収容部に導くガイド部が形成されており、かつ、第二現像剤収容部のトナー補給路に対応する領域は、トナーが消費されていない状態において、上部に空隙が生じないように二成分現像剤で満たされていると共に、第二現像剤収容部のトナー補給路に対応しない領域は、トナーが消費されている状態において、二成分現像剤で満たされずに上部に空隙が生じるように形成されていることを特徴とする現像装置。
【請求項３】
前記アドミックスオーガーは、前記トナー補給路に対応する領域におけるスクリューピッチが他の領域に対応するスクリューピッチよりも小さいことを特徴とする請求項１又は２に記載の現像装置。
【請求項４】
前記アドミックスオーガーは、前記トナー補給路に対応する領域におけるスクリューに一部切り欠きが設けられていることを特徴とする請求項１又は２に記載の現像装置。
【請求項５】
前記アドミックスオーガーは、前記トナー補給路に対応する領域におけるスクリューシャフトの径が、他の領域に対応するスクリューシャフトの径よりも大きく、前記トナー補給路に対応する領域における羽根部の断面積が他の領域に対応する羽根部の断面積より小さいことを特徴とする請求項１又は２に記載の現像装置。
【請求項６】
前記アドミックスオーガーは、前記トナー補給路に対応する領域におけるオーガー径が、他の領域に対応するオーガー径よりも小さく、かつ、前記トナー補給路に対応する領域におけるオーガー回りの現像剤収容容積が他の領域に対応する現像剤収容容積よりも小さいことを特徴とする請求項１又は２に記載の現像装置。
【請求項７】
前記トナー補給路は、軸方向略中央部に形成されていることを特徴とする請求項１ないし６のいずれかに記載の現像装置。
【請求項８】
請求項１ないし７のいずれかに記載の現像装置を備えることを特徴とする画像形成装置。
【発明の詳細な説明】
【技術分野】
【０００１】
本発明は、トナーと磁性キャリアとからなる二成分現像剤を用い、像担持体上の静電潜像をトナーで現像する現像装置及びこれを用いた画像形成装置に関し、特に、二成分現像剤中のトナー濃度を自律的に制御する現像装置及びこれを用いた画像形成装置に関する。
【背景技術】
【０００２】
【特許文献１】特開平０５−０６７２３３号公報
【特許文献２】特開平０５−１１９６２５号公報
【特許文献３】特開平０９−０２２１７８号公報
【特許文献４】特開２０００−３５２８７７号公報
【特許文献５】特開平０９−１９７８３３号公報
【特許文献６】特開平１１−２４３８２号公報
【特許文献７】特開平１１−８４８７４号公報
【０００３】
一般に、電子写真方式等の画像形成装置で用いられる現像装置としては，感光体ドラム等の像担持体上に形成された静電潜像を現像剤にて可視像化するものが知られている。この種の現像装置に用いられる現像方式としては、現像剤として着色剤粒子であるトナーのみを用いる一成分現像方式と、現像剤として磁性体粒子であるキャリアと着色体粒子であるトナーとを混合撹拌したものを用いる二成分現像方式とに大別される。
【０００４】
従来、二成分現像方式の現像装置としては、画質、維持性や安定性など優れた点が多いことから、トナーを磁性キャリアに混合した現像剤を磁場によって搬送して現像する磁気ブラシ現像方法が広く用いられている。この磁気ブラシ現像方法では、トナーと磁性キャリアとの摩擦で発生した静電気力により、トナーが磁性キャリアの表面に担持されるが、このトナーは、像担体上の静電潜像に接近すると、静電潜像担持体と現像剤担持体との間に形成される電界によって静電潜像上へ飛翔し、静電潜像を可視像化する。また、現像剤は、現像によって消費されたトナーを補充しながら反復使用される。
【０００５】
しかし、このような磁気ブラシ現像方法においては、トナー濃度（トナーと磁性キャリアの混合比）を一定範囲に保つ制御を行わないと、トナー濃度が上昇した場合には、トナー飛散やカブリが発生し、一方、トナー濃度が低下した場合には、濃度低下や濃度斑、画像抜けなどが発生してしまう。したがって、安定した画像を得るためにはトナー濃度を一定に保つ必要がある。
【０００６】
そこで、従来の磁気ブラシ現像方法では、安定した画像を得るためにトナー濃度センサを用いてトナー濃度を検知したり、現像パッチを作成してトナー現像量を検知し、その信号によってトナー補給部材を作動させることによりトナー濃度を一定にする制御を行っている。例えば、トナー濃度センサによりトナー濃度を検知し、この検知情報に基づいてトナー濃度が低下したと判断した後、トナー補給部材によりトナー補給が行われる。
【０００７】
しかし、この種の磁気ブラシ現像方法にあっては、トナー濃度センサや独立してＯＮ／ＯＦＦ駆動できるトナー補給部材が必要不可欠であり、現像装置の大型化、高コスト化が避けられない。また、検知対象の濃度パッチを作成する等、トナー濃度の検知システムが面倒であるという不具合がある。
【０００８】
このような不具合を解決する先行技術として、トナー濃度センサやトナー補給部材を用いずに、トナー濃度を一定に保つ現像装置が既に提案されている（例えば、特許文献１〜５参照）。こうした現像装置は、二成分現像剤を収容する現像剤収容部と、現像剤収容部と連通し且つトナーを収容するトナー収容部とを有し、現像剤担持体上の二成分現像剤量を規制部材で規制し、現像剤担持体上における二成分現像剤のトナー濃度変化によって、二成分現像剤のトナーの取り込みを自律的に制御することで、トナー濃度を調整するものである。
【０００９】
しかしながら、上記の先行技術にあっては、いずれもトナー濃度変化に対応した現像剤の体積変化と現像剤の動きとによって、トナー濃度の制御をしているため、現像剤の体積変化や現像剤の動きを活発にする必要がある。このような要請下においては、通常の二成分現像方式と比較して、少ない現像剤量で且つ現像剤担持体周辺の現像剤収容部内の現像剤密度を高くする必要があるため、現像剤の循環が悪く、現像剤の動きが活発な箇所と活発でない箇所とが存在して、トナーの取込みが均一に行われない。さらに、帯電性能や磁化特性の劣化により磁性キャリアが現像装置本体から抜け出て現像剤収容部内の磁性キャリア量が減少すると、トナー濃度安定時において現像剤収容部内の磁性キャリア量に対するトナー量比率が大きくなる。この結果として、十分なトナー帯電が施されず地汚れやトナー飛散が生じるという問題を生じていた。また、現像剤量が少ないこと等から、予め現像剤量を少なく設定しなければならないため、１つの磁性キャリアにかかるストレスが大きくなって、磁性キャリアの寿命が短くなり、結果として、ランニングコストが上昇するといった問題も生じていた。さらに、現像装置が軸方向（長手方向）に傾斜して配置された場合には、軸方向におけるトナー濃度が不均一となり、画像ムラ等が発生するという問題を生じていた。
【００１０】
また、現像剤収容部内に複数のオーガーが上下に配置されている装置構成においては、下方のオーガーから上方のオーガーへの現像剤の汲み上げが、重力方向に逆らう向きとなるので、汲み上げ部分に現像剤が滞留し易く、オーガーの回転抵抗の増大に伴う、必要な駆動トルクの増大や現像剤へのストレスの増大に伴う凝着等の発生といった問題を生じていた。
【００１１】
こうした問題を解決する先行技術として、汲み上げ部分におけるオーガー形状を工夫した現像装置が提案されている（例えば、特許文献６，７参照）。
【００１２】
しかし、こうした先行技術は、いずれも複数のオーガーが垂直に配置された場合の、汲み上げ部分におけるオーガー形状を変更することにより、当該領域における現像剤の滞留を防止するものであり、例えば、現像装置の高さ方向の制限等に基づくオーガー配置等の他の構成に関する解決手段や補給トナーと現像剤との撹拌性能の向上等を教示するものではなかった。
【００１３】
そこで、このような技術的課題を解決するために、本出願人は、図９に示されるような現像装置を既に提案している。
【００１４】
この特願２００４−１５４５０３号に係る現像装置１００は、図９に示されるように、二成分現像剤を磁力により担持搬送する現像剤担持体１３２と、二成分現像剤を収容する現像剤収容部１３３と、トナーを現像剤収容部１３３に供給可能に収容するトナー収容部１３５と、現像剤収容部１３３に隣接し現像剤収容部１３３と連通する現像剤退避部１３４と、現像剤担持体１３２により担持搬送される二成分現像剤の一部を余剰現像剤としてせき止め、トナー濃度に応じて現像剤収容部１３３又は現像剤退避部１３４に余剰現像剤を分離する現像剤分離手段と、現像剤分離手段により分離された余剰現像剤を現像剤収容部１３３又は現像剤退避部１３４に導入すると共に互いを仕切る現像剤仕切部材１３９と、現像剤を撹拌搬送する複数の現像剤撹拌搬送部材１３６ａ，１３６ｂとを備え、現像剤仕切部材１３９の下端の軸方向略１／３の中央部領域には、トナー補給路１３７に連通するトナー供給口が形成されていると共に、軸方向両端部は、現像剤退避部１３４に導入された二成分現像剤が、トナー収容部１３５からのトナーを取り込まずに現像剤収容部１３３に流入するように構成したものである。また、現像剤収容部１３３内には、現像剤担持体１３２側にサプライオーガー１３６ａ及びこのサプライオーガー１３６ａに隣接して、アドミックスオーガー１３６ｂを配設し、これらのオーガーが互いに略水平となるように配置したものである。そして、これにより、トナー濃度に応じた二成分現像剤の流動性変化、嵩変化に加えて、磁気吸引力の変化を利用して、自律的な濃度制御を実現すると共に、中央部に形成されたトナー供給口からのみトナー収容部１３５のトナーを取り込み、両端部においては、現像剤収容部１３３とトナー収容部１３５とを遮蔽することにより、現像装置が軸方向に傾斜配置された場合の、二成分現像剤の偏りによる軸方向のトナー濃度の不均一化の防止を図ったものである。
【００１５】
さらに、現像剤収容部１３３内に複数のオーガーを略水平に配置することにより、重力に抗して現像剤を汲み上げる汲み上げ部分をなくして、汲み上げ部分における現像剤の滞留の防止を図ったものである。
【発明の開示】
【発明が解決しようとする課題】
【００１６】
上述のように構成した現像装置においては、例えば、トナーが消費されずに現像剤収容部１３３内のトナー濃度が所定の濃度範囲を維持している場合には、サプライオーガー１３６ｂ回りの現像剤が現像剤収容部１３３内に満ちていることにより、トナー補給路１３７を塞ぎ、新たなトナーが補給されて、現像剤収容部１３３内のトナー濃度が上昇することを防ぐ。一方、現像剤収容部１３３内のトナー濃度が低下して、仕切部材１３９上に低濃度現像剤が流出した際には、現像剤収容部１３３内の現像剤量の減少に伴って、トナー収容部１３５内のトナー撹拌部材１３８により掻き揚げられた高濃度現像剤がトナー補給路１３７から補給される。そして、このような作動に基づく現像装置では、現像剤収容部１３３内のトナー濃度が所定の濃度範囲を維持している場合には、特に、アドミックスオーガー１３６ｂ回りの現像剤収容部１３３内には、軸方向に亘って、現像剤が満たされている必要があり、アドミックスオーガー１３６ｂによる現像剤の攪拌効果が小さくなってしまう。このため、例えば、高密度画像を形成した際に多量のトナーが補給された場合には、現像剤中のトナーの分散が不十分となり、濃度ムラが発生する場合があった。また、定常状態においてサプライオーガー１３６ｂ回りの現像剤収容部１３３内に現像剤が満ちているため、トナー補給路を介してトナーが補給されるためには、サプライオーガー１３６ｂ回りの現像剤収容部内の現像剤の多くが流出する必要があり、トナー補給の応答性や、いわゆるオーガーマークの発生といった問題が生じていた。
【００１７】
そこで、本発明は上記問題点に鑑みてなされたものであり、補給されたトナーと現像剤の撹拌性及びトナー補給の応答性を向上させると共に、濃度ムラやオーガーマークの発生を防止することが可能な現像装置及びこれを用いた画像形成装置を提供することを目的とする。
【課題を解決するための手段】
【００１８】
上記目的を達成するために、本発明の現像装置は、トナーと磁性キャリアとが含まれる二成分現像剤を磁力により担持搬送する回転自在の現像剤担持体と、該現像剤担持体に隣接して二成分現像剤を収容する第一現像剤収容部と、この第一現像剤収容部に隣接し、軸方向端部領域において第一現像剤収容部と連通する第二現像剤収容部と、現像剤担持体により担持搬送される二成分現像剤の層厚を所定の厚さに規制すると共に、余剰な現像剤を堰き止める層厚規制部材と、この層厚規制部材に対して現像剤担持体の回転方向上流側に配設され、層厚規制部材により堰きとめられた余剰現像剤をトナー濃度に応じて第一現像剤収容部又は第二現像剤収容部に導入する仕切部材と、第一現像剤収容部内に配設され、二成分現像剤を軸方向に撹拌搬送するサプライオーガーと、第二現像剤収容部内において、該サプライオーガーと隔壁を隔てて略水平に配設され、二成分現像剤を軸方向に撹拌搬送するアドミックスオーガーとを有し、現像剤収容部のトナー濃度が一定となるように自律的に濃度調整を行う現像装置において、前記第二現像剤収容部の側壁の軸方向の一部領域には、第二現像剤収容部と連通するトナー補給路が形成されていると共に、前記仕切部材の表面には、仕切部材上に流出した二成分現像剤を該トナー補給路よりもアドミックスオーガーの搬送方向下流側に導くガイド部が形成されており、かつ、第二現像剤収容部のトナー補給路に対応する領域は、トナーが消費されていない状態において、上部に空隙が生じないように二成分現像剤で満たされていると共に、第二現像剤収容部のトナー補給路に対応しない領域は、トナーが消費されている状態において、上部に空隙が生じるように二成分現像剤で満たされないように形成されていることを特徴とする。
【００１９】
一般に、オーガー回りの二成分現像剤の撹拌効率を向上させるためには、オーガー回りの現像剤収容部の上方に空隙があることが望ましい。このような空隙があると、比重の異なるトナー及び二成分現像剤が、一旦オーガーにより該空間に持ち上げられた後、自重により落下する際に混合撹拌され、オーガー周囲が現像剤により満たされている場合に比し、撹拌効果を向上させることができるためである。
【００２０】
そこで、上述のように構成された現像装置は、現像剤担持体と、第一及び第二現像剤収容部と、層厚規制部材と、仕切部材と、サプライオーガー及びアドミックスオーガーとを有し、現像剤収容部のトナー濃度が一定となるように自律的に濃度調整を行う現像装置において、第二現像剤収容部の側壁の軸方向の一部領域には、第二現像剤収容部と連通するトナー補給路が形成されていると共に、仕切部材の表面には、仕切部材上に流出した二成分現像剤を該トナー補給路よりもアドミックスオーガーの搬送方向下流側に導くガイド部が形成されており、かつ、第二現像剤収容部のトナー補給路に対応する領域は、トナーが消費されていない状態において、上部に空隙が生じないように二成分現像剤で満たされていると共に、第二現像剤収容部のトナー補給路に対応しない領域は、トナーが消費されている状態において、二成分現像剤で満たされずに上部に空隙が生じるように形成されているので、第二現像剤収容部のトナー補給路に対応しない領域では、トナーが消費されて仕切部材上に流出した現像剤が第二現像剤収容部内に還流された場合でも、収容部内の現像剤の上方に空隙が生じているため、トナーと現像剤との撹拌性が良好となり補給されたトナーが現像に供されるまで十分に均一化され、高密度画像の形成等、多量にトナーが補給された場合でも、トナーの分散不足に伴う濃度ムラの発生を防止することができる。また、仕切部材上に流出した二成分現像剤が、全て第二現像剤収容部のアドミックスオーガーの搬送方向下流側に還流されることにより、アドミックスオーガーの上流側の現像剤量が減少し、仕切部材上を通じて現像剤が流動すると直ちにトナー補給路近傍の現像剤量に変化が伝わるため、トナー補給の即応性が向上すると共に、収容部内の現像剤量の変動が小さくオーガーマークが出にくい現像装置及びこれを用いた画像形成装置を提供することができる。
【００２１】
また、本発明の現像装置は、トナーと磁性キャリアとが含まれる二成分現像剤を磁力により担持搬送する回転自在の現像剤担持体と、該現像剤担持体に隣接して二成分現像剤を収容する第一現像剤収容部と、この第一現像剤収容部に隣接し、軸方向端部領域において第一現像剤収容部と連通する第二現像剤収容部と、第二現像剤収容部に隣接し、軸方向の一部領域に設けられたトナー補給路を通じて第二現像剤収容部にトナーを供給可能に収容するトナー収容部と、現像剤担持体により担持搬送される二成分現像剤の層厚を所定の厚さに規制すると共に、余剰な現像剤を堰き止める層厚規制部材と、この層厚規制部材に対して現像剤担持体の回転方向上流側に配設され、層厚規制部材により堰きとめられた余剰現像剤をトナー濃度に応じてトナー収容部側に導入する仕切部材と、第一現像剤収容部内に配設され、二成分現像剤を軸方向に撹拌搬送するサプライオーガーと、第二現像剤収容部内において、該サプライオーガーと隔壁を隔てて略水平に配設され、二成分現像剤を軸方向に撹拌搬送するアドミックスオーガーとを有し、現像剤収容部のトナー濃度が一定となるように自律的に濃度調整を行う現像装置において、前記仕切部材の下端部には、軸方向の一部領域に、前記トナー補給路に連通する供給口が形成されていると共に、前記仕切部材の表面には、仕切部材上に流出した二成分現像剤を、該供給口を避けてトナー収容部に導くガイド部が形成されており、かつ、第二現像剤収容部のトナー補給路に対応する領域は、トナーが消費されていない状態において、上部に空隙が生じないように二成分現像剤で満たされていると共に、第二現像剤収容部のトナー補給路に対応しない領域は、トナーが消費されている状態において、二成分現像剤で満たされずに上部に空隙が生じるように形成されていることを特徴とする。
【００２２】
この場合も、トナーが消費されている状態、すなわち、仕切部材上に二成分現像剤が流出して、トナー補給路からトナーが供給されている状態において、第二現像剤収容部のトナー補給路に対応しない領域は、上部に空隙が生じるように形成されているので、トナーと現像剤との撹拌性が良好となり補給されたトナーが現像に供されるまで十分に均一化され、高密度画像の形成等、多量にトナーが補給された場合でも、トナーの分散不足に伴う濃度ムラの発生を防止することができる。また、仕切部材上に流出した二成分現像剤が、トナー供給口を避けて、全てトナー収容部に還流されることにより、仕切部材上を通じて現像剤が流動すると、第二現像剤収容部内の現像剤量が減少し、直ちにトナー補給路近傍の現像剤量に変化が伝わるため、トナー補給の即応性が向上すると共に、仕切部材上を流動する二成分現像剤が、トナー収容部内のトナーと十分撹拌混合された後、トナー補給路を介して、第二現像剤収容部に供給されるので、収容部内の現像剤量の変動が小さくオーガーマークが出にくい現像装置及びこれを用いた画像形成装置を提供することができる。
【００２３】
ここで、第二現像剤収容部のトナー補給路に対応する領域が、トナーが消費されていない状態において、上部に空隙が生じないように二成分現像剤で満たされていると共に、第二現像剤収容部のトナー補給路に対応しない領域が、トナーが消費されている状態において、上部に空隙が生じるように二成分現像剤で満たされないように形成されるように第二現像剤収容部を形成するためには、例えば、トナー補給路に対応する領域におけるアドミックスオーガーのスクリューピッチを他の領域に対応するスクリューピッチよりも小さくしても良いし、対応する領域におけるスクリューに一部切り欠きを設けても良い。また、対応する領域におけるスクリューシャフトの径を他の領域に対応するスクリューシャフトの径よりも大きくし、対応する領域における羽根部の断面積が他の領域に対応する羽根部の断面積より小さくなるように形成しても良い。また、対応する領域におけるアドミックスオーガーの径を他の領域に対応するアドミックスオーガーの径よりも小さくし、さらに、対応する領域におけるオーガー回りの現像剤収容容積が他の領域に対応する現像剤収容容積よりも小さくなるように形成しても良い。
【００２４】
以上において、トナー補給路は、軸方向略中央部に形成されていても良い。
【００２５】
また、本発明に係る画像形成装置は、上記現像装置を備えることを特徴とする。
【発明の効果】
【００２６】
本発明によれば、トナー補給路に対応する領域以外では、収容部内の現像剤の上方に空隙が生じているので、現像剤の撹拌性が良好となり、補給されたトナーが現像に供されるまで十分に均一化されるため、高密度画像の形成等、多量にトナーが補給された場合でも、トナーの分散不足に伴う濃度ムラの発生を防止することができる。また、仕切部材上を通じて現像剤が流動すると直ちにトナー補給路近傍の現像剤量に変化が伝わるため、トナー補給の即応性が向上すると共に、収容部内の現像剤量の変動が小さくオーガーマークが出にくい現像装置及びこれを用いた画像形成装置を提供することができる。
【発明を実施するための最良の形態】
【００２７】
＜実施の形態１＞
【００２８】
以下に、本発明に係る実施の形態を図面を参照して説明する。
【００２９】
まず、本発明の実施の形態１に係る現像装置を含む画像形成装置の概略構成について、図１を参照して説明する。
【００３０】
図１に示されるように、本発明に係る画像形成装置１０は、一様帯電後に像光を照射することにより表面に静電電位の差による潜像が形成される感光体ドラム２１を備えており、この周囲に、感光体ドラム２１の表面を一様に帯電させる帯電装置２２と、感光体ドラム２１に像光を照射して表面に潜像を形成する露光装置２３と、感光体ドラム２１上の潜像にトナーを選択的に転移させてトナー像を形成する現像装置２４と、感光体ドラム２１と対向し、被記録媒体２８を挟んで感光体ドラム２１との間に転写バイアス電界を生成する転写ロール２６と、トナー像の転写後に感光体ドラム２１に残留するトナーを除去するクリーニング装置２９とが設けられている。そして、感光体ドラム２１と転写ロール２６との対向部（ニップ部）の上流側から被記録媒体２８を供給するようになっており、下流側には被記録媒体２８上に転写された未定着トナー像を加熱溶融し被記録媒体２８に圧着する定着装置５０が設けられている。ここで、感光体ドラム２１は、矢印方向に回転する金属製ドラムの表面に有機感光材料、アモルファスセレン系感光材料、アモルファスシリコン系感光材料等からなる感光体層を形成したものを用いることができる。また、帯電装置２２は、例えば、タングステンなどからなる細いワイヤーに高電圧を印加すると共にそれと離間したアルミなどからなるシールド及び感光体ドラム２１側に隙間のあるグリッド電極を配置したスコロトロンを用いることができる。露光装置２３は、レーザ書込み装置やＬＥＤアレイを有し、画像信号に基づいて点滅する露光光を発生し、これをポリゴンミラーによって感光体ドラム２１の主走査方向にスキャンするものであり、これにより感光体ドラム２１の表面に静電潜像を形成する。この静電潜像は、光の当たった部分の感光体ドラム２１の表面電位が低下し、光の当たっていない高電位部分とのコントラストによる電位画像として形成される。また、現像装置２４は、ハウジング３１内に着色粒子であるトナー及び磁性キャリアからなる二成分現像剤を収容し、現像剤担持体３２に二成分現像剤を担持させ、この現像剤担持体３２にバイアス電源２５からの現像バイアスを印加することで、現像剤担持体３２を静電潜像の高電位部と低電位部との中間電位に保持し、静電潜像の画像部を帯電されたトナーにて現像するようにしたものである。さらに、転写装置２６は、例えば感光体ドラム２１に接触配置される転写ロールにて構成され、バイアス電源２７によって感光体ドラム２１上のトナー像が引き付けられる方向の転写バイアスが印加されることで、感光体ドラム２１上のトナー像を被記録媒体２８に転与させるようにしたものである。また、感光体ドラム２１上に残留したトナーは、例えばドクターブレード式のクリーニング装置２９によって除去される。また、定着装置５０は、例えばヒートロール方式であり、加熱ロール５１と加圧ロール５２とを有し、この加熱ロール５１と加庄ロール５２との間に被記録媒体２８を通過させることによりトナー像を被記録媒体２８に定着するようになっている。
【００３１】
次に、本実施の形態に係る現像装置の詳細について、図２を参照して説明する。図２は本実施の形態に係る現像装置２４の概要を示す構成図である。
【００３２】
図２に示されるように、現像装置２４は、感光体ドラム２１に向かって開口するハウジング３１を有し、このハウジング３１の開口に面して現像剤担持体３２が配設され、ハウジング３１の底部には、現像剤担持体３２に隣接した部位に二成分現像剤Ｇが収容される第一現像剤収容部３３ａと、この第一現像剤収容部３３ａに隔壁Ｗを隔てて隣接し、軸方向両端部領域において第一現像剤収容部３３ａと連通する第二現像剤収容部３３ｂとを備えている。そして、この現像装置２４は、第二現像剤収容部３３ｂに隣接して、不図示のトナー供給部（ディスペンサ）が着脱可能な構成であり、ハウジング３１の第二現像剤収容部３３ｂ側の側面３１ｓには、トナー供給部と第二現像剤収容部３３ｂとを連通するトナー補給路３７が、軸方向の一部領域（本実施の形態では、略中央部）に形成されている。ここで、現像剤担持体３２は、回転自在に形成された回転スリーブと、この回転スリーブの内部に固定的に配設された、複数の磁極からなる磁極ロールとを備えている。また、感光体ドラム２１と現像剤担持体３２とが対向している現像領域に対して、現像剤担持体３２の回転方向上流側には、現像剤担持体３２と対向するように層厚規制部材４１が配設されており、さらに、この層厚規制部材４１に対して、現像剤担持体３２の現像剤搬送方向上流側には現像剤退避部３４が設けられている。この層厚規制部材４１は、現像剤担持体３２と同程度の幅を有し、一端をハウジング３１により支持され、先端部を数十μｍ〜数百μｍ程度の間隙で現像剤担持体３２に近接させている。そして、例えば、層厚規制部材４１と現像剤担持体３２の磁極とにより、トナー濃度に応じた二成分現像剤Ｇを第一現像剤収容部３３ａ又は現像剤退避部３４に分離することが可能となっている。
【００３３】
さらに、現像剤退避部３４と第一現像剤収容部３３ａ及び第二現像剤収容部３３ｂとの間には、層厚規制部材４１により堰き止められた余剰現像剤を第一現像剤収容部３３ａ側又は現像剤退避部３４側に導入すると共に互いを仕切り、さらに、現像剤退避部３４側に導入された二成分現像剤を第二現像剤収容部３３ｂ側に導入する仕切部材３９が配設されている。
【００３４】
なお、本実施の形態においては、層厚規制部材４１により多くの二成分現像剤Ｇを供給するために、仕切部材３９と現像剤担持体３２との間の間隙は、層厚規制部材４１と現像剤担持体３２との間隙よりも広く設定されている。また、本実施の形態において、二成分現像剤Ｇは、トナーＴと磁性キャリアからなる現像剤であり、トナーＴは、例えば非磁性トナーを用いるが、磁性キャリアと磁気特性が異なるものであれば、磁性トナーを用いても差し支えない。
【００３５】
さらに、本実施の形態においては、トナー補給路３７は、軸方向略中央部に設けられているが、この箇所に限定されるものではない。
【００３６】
しかし、現像装置２４が軸方向に傾斜すると、オーガー内の現像剤量は下側が多く、上側が少なくなる傾向を持つが、中央部は影響がキャンセルされて現像剤量が比較的安定するので、トナー補給路が中央部に形成されている場合には、傾斜配置された場合でも略一定の現像剤量変化でトナー供給がＯＮ／ＯＦＦされ、現像剤トナー濃度も略一定に保たれる。従って、こうした観点からは、トナー補給路３７は軸方向略中央部に設けることが好ましい。
【００３７】
また、第一及び第二現像剤収容部３３ａ，３３ｂは二成分現像剤Ｇが収容されるスペースを有し、第一現像剤収容部３３ａ内のうち現像剤担持体３２に近接した位置にサプライオーガー３６ａが配設され、第二現像剤収容部３３ｂ内のサプライオーガー３６ａと略水平な位置に、アドミックスオーガー３６ｂが配設されている。そして、これらのオーガー３６ａ，３６ｂは、略同一の外径を有し、互いに逆方向に回転（例えば３６ａが反時計回り、３６ｂが時計回り）するように構成されている。さらに、サプライオーガー３６ａとアドミックスオーガー３６ｂとの間には、第一現像剤収容部３３ａと第二現像剤収容部３３ｂとを画成すると共に、それぞれのオーガー回りの二成分現像剤Ｇの断面方向（軸方向と直交する方向）の入れ替わりを不能とする隔壁Ｗが形成されており、これにより、オーガー回りの二成分現像剤Ｇは、それぞれの軸方向の端部において互いに連通している折り返し領域を通じて、軸方向に循環するようになっている。
【００３８】
なお、この隔壁Ｗは、必要に応じて、両オーガー３６ａ，３６ｂ間の断面方向の二成分現像剤Ｇの流れを完全には隔てないように構成してもよい。すなわち、隔壁Ｗの高さを低減して、それぞれのオーガー回りの二成分現像剤Ｇの入れ替わりを可能とする隙間を両オーガー３６ａ，３６ｂ間に設定してもよく、この場合は、サプライオーガー３６ａとアドミックスオーガー３６ｂの軸方向端部から端部へと現像剤が往復循環するような流れと、サプライオーガー３６ａ、アドミックスオーガー３６ｂ回りのそれぞれの現像剤が断面方向に互いに入れ替わるような流れとが形成可能となる。
【００３９】
ここで、各オーガー３６ａ，３６ｂは、シャフト部３６ｓと、このシャフト部３６ｓの表面にらせん状に形成された羽根部３６ｔとを有し、スパイラル状に形成されている（例えば、図４参照）。このようなスパイラル状のオーガーを現像剤撹拌搬送部材として用いることにより、現像剤の周方向の撹拌と軸方向の搬送とをより効率的に行うことができる。
【００４０】
さらに、第一及び第二現像剤収容部３３ａ，３３ｂの底部形状は、現像剤担持体３２、現像剤撹拌搬送部材３６ａ，３６ｂに沿った湾曲形状に形成されていると共に、現像剤担持体３２とサプライオーガー３６ａとの間に所定間隔の現像剤搬送路が確保されている。
【００４１】
ここで、本実施形態においては、現像剤撹拌搬送部材として、２個のオーガー３６ａ，３６ｂを用いているが、配設数については２個に限定されるものではなく、外径についても必ずしも同一である必要はない。
【００４２】
次に、本実施の形態における前述した仕切部材３９の詳細について、図２及び図３を参照してさらに説明する。ここで、図３は本発明に係る仕切部材及びこれと一体に形成されたガイド部材を示す斜視図である。
【００４３】
図２に示されるように、この仕切部材３９は、現像剤担持体３２と同程度の軸方向の幅で形成され、現像剤担持体３２から斜め下方に向かって傾斜配置されたベースプレート３９ａを有し、このベースプレート３９ａの傾斜部長さは傾斜部上を流れる二成分現像剤Ｇが第二現像剤収容部３３ｂに流れ込むような長さに設定されている。
【００４４】
そして、ベースプレート３９ａのうち、現像剤担持体３２側に位置する上端部３９ｄは、現像剤担持体３２内の搬送磁極の近傍において、現像剤担持体３２の表面と数百μｍ〜数ｍｍの位置で対向配置されている。
【００４５】
また、上端部３９ｄの反対側である下端部３９ｅは、そのトナー補給路３７側の側縁がハウジング３１の側壁３１ｓと所定の距離を設けて離隔され、その下面がアドミックスオーガー３６ｂの外周面に倣って、この外周面と約１．５ｍｍ〜２ｍｍの距離を隔てて形成されている。
【００４６】
さらに、仕切部材３９の上表面には、図２及び図３に示されるように、上端部３９ｄのアドミックスオーガー３６ｂの搬送方向上流側端部から下端部３９ｅのトナー補給路３７の開口幅の軸方向下流側端部に向かって、ガイド部材４０が設けられている。すなわち、仕切部材３９上に流出した二成分現像剤Ｇは全てトナー補給路３７の（アドミックスオーガー３６ｂの）搬送方向下流側に流入するようにガイド部材４０が形成されている。なお、このガイド部材４０の側縁部の一部領域には、前述したトナー補給路３７の一部が形成されている。
【００４７】
次に、本実施の形態における第二現像剤収容部３３ｂの詳細について、図４を参照して説明する。
【００４８】
図４に示されるように、第二現像剤収容部３３ｂのトナー補給路３７の軸方向幅に対応した領域であるＲ２においては、他の軸方向領域であるＲ１，Ｒ３に比し、現像剤収容容積が小さくなっており、さらに、アドミックスオーガー３６ｂの外径も他の領域に比し、小さくなっている。具体的には、Ｒ２領域における第二現像剤収容部３３ｂの収容容積は、トナーを消費していない状態、すなわち現像剤中のトナー濃度が所定の濃度範囲を維持しており、仕切部材３９上に低濃度現像剤が流出していない状態において、二成分現像剤Ｇにより満たされるように形成されているのに対し、他の領域Ｒ１，Ｒ３における第二現像剤収容部３３ｂの収容容積は、トナーを消費している状態、すなわち現像剤中のトナー濃度が所定の濃度範囲よりも低下して仕切部材３９上に低濃度現像剤が流出し、この仕切部材３９上の現像剤が第二現像剤収容部３３ｂの下流側に還流されている状態において、二成分現像剤Ｇにより満たされずに、上部に空隙（空間）が生じるように形成されている。
【００４９】
これにより、領域Ｒ１，Ｒ３においては、常時上方に空隙が形成されているので、収容されている二成分現像剤Ｇと補給されたトナーＴとの撹拌効果が増大する。
【００５０】
なお、このようなトナー補給路３７以外の領域Ｒ１，Ｒ３における撹拌効果の増大といった効果を得るためには、上述の形態に限らず、例えば、図５に示される変形例のように、Ｒ２領域におけるアドミックスオーガー３６ｂの羽根３６ｔのピッチを他の領域における羽根３６ｔのピッチよりも小さくすることによっても実現することができる（変形例２）。
【００５１】
ここで、ピッチが小さいとは、スクリュー羽根３６ｔと軸３６ｓとがより垂直に近づくようにスクリュー羽根３６ｔを傾斜させることにより、隣り合うスクリュー羽根３６ｔ間の間隔が小さくなっていることをいう。このようにスクリュー羽根のピッチが小さいと、スクリューが１回転する間に現像剤が軸方向へ搬送される距離が短いので、現像剤搬送能力がその分小さくなり、当該領域に現像剤が滞留しやすくなると共に、相対的にスクリュー羽根のピッチの大きい領域では、軸方向の搬送能力の増大に伴い、収容部内の上部に空隙が形成されることとなる。
【００５２】
さらに、他の変形例としては、図６に示されるように、領域Ｒ２に対応するアドミックスオーガー３６ｂのシャフト部３６ｓの径を他の領域におけるシャフト径よりも大きくし、羽根部３６ｔの高さを他の領域における羽根部高さよりも小さくして、領域Ｒ２に対応する羽根部３６ｔの断面積を他の領域に対応する羽根部の断面積よりも小さくすることにより実現しても良い（変形例３）。さらにまた、領域Ｒ２に対応するアドミックスオーガー３６ｂの羽根３６ｔに部分的に切り欠きを設けても良い（変形例４）。
【００５３】
上述の変形例のいずれにおいても、トナー補給路３７に対応する領域におけるアドミックスオーガー３６ｂの現像剤搬送能力が他の領域におけるアドミックスオーガー３６ｂの現像剤搬送能力よりも小さくなるので、トナー補給路３７に対応する領域Ｒ２は、定常状態において現像剤で満たされると共に、他の領域Ｒ１，Ｒ３においては現像剤の上方に空隙を形成することができる。
【００５４】
なお、当然に、これらの変形例等の各要素は、適宜組み合わせても良い。
【００５５】
次に、本実施の形態に係る現像装置２４の作動の概要について、以下に説明する。
【００５６】
図２において、現像剤収容部３３における二成分現像剤Ｇは、現像剤担持体３２内に配設された磁極によって捕獲されると共に、現像剤担持体３２（回転スリーブ）の回転方向に搬送される。この搬送された二成分現像剤Ｇは、層厚規制部材４１の近傍に到達すると、トリミング磁極として作用する搬送磁極により穂立ちを形成し、さらに、この二成分現像剤Ｇの穂立ちは、層厚規制部材４１にて規制されることにより、現像剤層として現像剤担持体３２上に形成され、この現像剤層は、感光体ドラム２１と対向している現像領域に搬送される。そしてさらに、現像領域に搬送された二成分現像剤Ｇの現像剤層は、現像磁極の磁気吸引力により磁気ブラシを形成し、この磁気ブラシを形成する二成分現像剤ＧにおけるトナーＴは、感光体ドラム２１と現像剤担持体３２との間に形成される現像電界によって、感光体ドラム２１上の静電潜像を可視像化する。
【００５７】
そして、上述のように構成された現像装置２４において、例えば、トナー濃度が低い二成分現像剤Ｇの場合は、相対的に単位体積当たりの磁性キャリア密度が大きいので、見掛けの透磁率が上昇し、現像剤担持体３２に対して現像剤単位体積あたりの磁気吸引力が大きくなる。このため現像剤担持体３２との摩擦力が大きくなり、搬送力が大きくなるため、現像剤担持体３２により、層厚規制部材４１まで確実に搬送され、層厚規制部材４１のせき止め力に打ち勝って、層厚規制部材４１近傍に滞留している滞留現像剤を押し出す。この押し出された滞留現像剤は、落下現像剤となって仕切部材３９上に落下し、現像剤退避部３４を経て、その後、第二現像剤収容部３３ｂへ流れ込む。
【００５８】
このように、トナー濃度の低い二成分現像剤Ｇが現像剤退避部３４に導かれた場合、現像剤収容部３３内の現像剤量が減少し、アドミックスオーガー３６ｂに流入する現像剤量も減少するため、Ｒ２領域の上部にスペースができる。その結果、不図示のトナー収容部から第二現像剤収容部３３ｂに至るまでのトナー補給路３７にあった二成分現像剤Ｇは、アドミックスオーガー３６ｂの搬送力と二成分現像剤Ｇの自重により、上記スペースに速やかに引き込まれ、トナー補給路３７付近の二成分現像剤Ｇが流動する。これにより、トナー補給路３７は、不図示のトナー収容部からのトナーを受け入れ、このトナーは、トナー補給路３７を経て第二現像剤収容部３３ｂへと速やかに供給される。
【００５９】
一方、トナー濃度が高い二成分現像剤Ｇの場合は、相対的に単位体積当たりの磁性キャリア密度が小さいので、見掛けの透磁率が低下し、現像剤担持体３２に対して現像剤単位体積あたりの磁気吸引力が小さくなる。このため現像剤担持体３２による搬送力が小さくなるため、現像剤担持体３２上の二成分現像剤Ｇの多くは、現像剤担持体３２の回転方向に対して仕切部材３９の先端よりも上流側の位置で落下してしまう。この結果、二成分現像剤Ｇは、層厚規制部材４１近傍に滞留している滞留現像剤を押し出すことなく、仕切部材３９の上端部３９ｄより上流側の位置で落下し、直接第一現像剤収容部３３ａへ戻る。
【００６０】
このとき、トナー濃度が低い場合と異なり、アドミックスオーガー３６ｂに流れ込む現像剤量は減少しないので、Ｒ２領域の上部にスペースが作られず、トナー補給路３７付近の二成分現像剤Ｇは流動しないので、二成分現像剤Ｇによりトナー補給路３７がふさがれている状態となり、不図示のトナー供給部からトナーが供給されない。
【００６１】
以上のように、本実施の形態に係るトナー補給メカニズムは、トナー濃度に応じた二成分現像剤Ｇの流動性変化、嵩変化に加えて磁気吸引力の変化を利用したものであり、トナー濃度が低い二成分現像剤Ｇに対してはトナー補給が行われ、トナー濃度が高い二成分現像剤Ｇに対してはトナー補給が行われない構成になっている。
【００６２】
このように構成した現像装置２４においては、第二現像剤収容部３３ｂ内に、トナーをすばやく取り込むことができるので、高密度画像の連続出力に対応することができると共に、現像剤に対するストレスが軽減され、現像剤の長寿命化、低ランニングコスト化を実現することができる。
【００６３】
また、本実施の形態においては、トナー補給路３７を軸方向略中央部のみに設けると共に、現像剤収容部３３及び不図示のトナー供給部の端部領域がハウジング３１ｓにより、互いに遮蔽されていることにより、現像装置２４が軸方向に傾斜して配置された場合でも、傾斜配置に伴う現像剤収容部３３側からトナー供給部側への現像剤の逆流や、トナー供給部側から現像剤収容部３３側への過剰なトナーの流入を防止すると共に、傾斜に伴うトナー補給路３７の軸方向両端部における現像剤の高低差が低減され、傾斜配置に伴う軸方向のトナー濃度の変動を抑制することができる。
【００６４】
さらに、本実施の形態においては、仕切部材３９上にガイド部４０が形成されているので、画像が形成されてトナーが消費され、現像剤中のトナー濃度が低下すると、仕切部材３９上を流動する低濃度の二成分現像剤がガイド部４０に誘導されて、第二現像剤収容部３３ｂ内のトナー補給路３７よりもアドミックスオーガー３６ｂの搬送方向下流側の部位に戻される。これにより、アドミックスオーガー３６ｂの上流部の現像剤搬送量が減少するため、トナー補給路３７に対応する領域近傍の第二現像剤収容部３３ｂ内の上部にも空隙ができ、直ちにトナー補給路３７を介してトナーが補給されることにより、トナー補給の即応性がより一層向上する。また、トナー補給路３７に対応していない領域においては、トナーを消費している状態、すなわち現像剤中のトナー濃度が所定の濃度範囲よりも低下して仕切部材３９上に低濃度現像剤が流出している状態において、アドミックスオーガー３６ｂの上部に空隙が形成されているので、補給されたトナーと低濃度現像剤とがより効果的に十分撹拌される。
一方、第二現像剤収容部３３ｂ内のトナー補給路３７に対応している領域においては、現像剤の搬送能力が他の領域より小さくなるように、アドミックスオーガー３６ｂのオーガー径、オーガーピッチ、ハウジング内径等が他の領域部分に比べて小さくなっているので、例えば、トナー濃度が所定の濃度に復帰して、仕切部材上を現像剤が流動しなくなった場合には、現像剤は全てオーガー対の軸方向に循環すると共に、相対的に搬送能力が小さいトナー補給路３７に対応している領域に現像剤が滞留し、当該領域の第二現像剤収容部３３ｂ内全体を現像剤が満たすようになる。このため、トナーを消費していない状態、すなわち現像剤中のトナー濃度が所定の濃度範囲を維持若しくは所定の濃度範囲に復帰しており、仕切部材３９上に低濃度現像剤が流出していない状態においては、図示しないディスペンサから供給されるトナーがトナー補給路３７から流入することを確実に防止することができる。
＜実施の形態２＞
【００６５】
次に、本発明に係る現像装置の別の実施の形態について、図７及び図８を参照して以下に説明する。
【００６６】
本実施の形態に係る現像装置は、先の実施の形態に係る現像装置において、第二現像剤収容部３３ｂに隣接したトナー収容部をハウジング３１内に一体に設けると共に、トナー消費に伴って、仕切部材上に流出した低濃度の二成分現像剤を該トナー収容部側に導入するように構成したものであり、先の実施の形態と同様な機能を有する部材には同様な符号を付し、その説明は省略する。
【００６７】
図７に示されるように、本実施の形態に係る現像装置２４Ａは、第二現像剤収容部３３ｂに隣接して、トナー収容部３５をハウジング３１内に備え、このトナー収容部３５内には、トナー及び二成分現像剤を撹拌搬送するトナー撹拌搬送部材３５１が設けられている。そして、本実施の形態における仕切部材３９Ａは、先の実施の形態と同様に、ベースプレート３９ａを有するが、このベースプレート３９ａは、先の実施の形態と異なり、その表面上に流出した低濃度の二成分現像剤が全て、トナー収容部３５側に導入されるように、傾斜角度、傾斜部長さが設定されている。
【００６８】
また、仕切部材３９の下端部３９ｅには、図７及び図８に示されるように、トナー収容部３５側の側縁の軸方向略中央部の領域において、トナー収容部３５から現像剤収容部３３へのトナー供給を可能とするトナー補給路３７に連通しているトナー供給口３７ａが形成されている。一方、下端部３９ｅのトナー供給口３７ａの開口幅領域を除いた両端部領域においては、図８に示されるように、連接部材４６により、仕切部材３９Ａの下端部３９ｅとトナー収容部３５の端部壁面とが連接されており、トナー収容部３５と現像剤収容部３３との間の二成分現像剤Ｇの流通を遮断している。
【００６９】
さらに、仕切部材３９Ａの上表面には、上端部３９ｄの軸方向略中央部から下端部３９ｅのトナー供給口３７ａの開口幅の軸方向両端部に向かって、ガイド部である板状のリブ部材４５が、ベースプレート３９ａの表面と直交するように立設されている。ここで、リブ部材４５の開き角度θは、角度が小さいほどベースプレート３９ａ上の二成分現像剤Ｇの流れをスムーズにするが、低濃度現像剤のトナー供給口３７ａへの直接の流入を防止するために、下端部３９ｅにおいてトナー供給口３７ａを覆うように、トナー供給口３７ａの開口幅と略同等の開き幅を有するような開き角度であることが好ましい。
【００７０】
なお、このガイド部は、例えば、上端部３９ｄの軸方向略中央部から下端部３９ｅに向かう突起部として形成された、先のリブ部材４５と同様な開き角度θを有する略三角形状のブロック状部材としても良い。
【００７１】
このように構成した現像装置２４Ａの第二現像剤収容部３３ｂにおいても、先の実施の形態と同様なオーガーピッチ、オーガー径、収容部容積等を採用することにより、先の実施の形態と同様な効果を得ることができる。また、仕切部材３９Ａ上に流出した二成分現像剤Ｇは、ガイド部材４５により全てトナー収容部３５側に還流されるので、トナーと現像剤との撹拌をより十分に行うことができる。
【図面の簡単な説明】
【００７２】
【図１】本発明に係る画像形成装置の一実施形態を示す概略構成図である。
【図２】本発明の実施の形態１に係る現像装置を示す概略構成図である。
【図３】本発明の実施の形態１に係る仕切部材及びガイド部材を示す模式的に示す図である。
【図４】本発明に係る第二現像剤収容部及びアドミックスオーガーの構成を示す図である。
【図５】本発明に係る第二現像剤収容部及びアドミックスオーガーの構成の変形例を示す図である。
【図６】本発明に係る第二現像剤収容部及びアドミックスオーガーの構成の変形例を示す図である。
【図７】本発明の実施の形態２に係る現像装置を示す概略構成図である。
【図８】本発明の実施の形態２に係る仕切部材及びガイド部材を示す模式図である。
【図９】従来の現像装置を示す概略構成図である。
【符号の説明】
【００７３】
１０：画像形成装置、２１：感光体ドラム、２２：帯電装置、２３：露光装置、２４，２４Ａ：現像装置、２５：バイアス電源、２６：転写装置、２７：バイアス電源、２８：被記録媒体、２９：クリーニング装置、３１：ハウジング、３１ｓ：側壁、３２：現像剤担持体、３３ａ：第一現像剤収容部、３３ｂ：第二現像剤収容部、３４：現像剤退避部、３５：トナー収容部、３６ａ：サプライオーガー、３６ｂ：アドミックスオーガー、３６ｓ：シャフト部、３６ｔ：羽根部、３７：トナー補給路、３７ａ：トナー供給口、３９，３９Ａ：仕切部材、３９ａ：ベースプレート、３９ｄ：上端部、３９ｅ：下端部、４０：ガイド部材、４１：層厚規制部材、４５：リブ部材、４６：連接部材、５０：定着装置、５１：加熱ロール、５２：加圧ロール、１００：現像装置、１３２：現像剤担持体、１３３：現像剤収容部、１３４：現像剤退避部、１３５：トナー収容部、１３６ａ，１３６ｂ：現像剤撹拌搬送部材、１３７：トナー補給路、１３８：トナー撹拌部材、１３９：現像剤仕切部材Ｒ１，Ｒ２，Ｒ３：領域、Ｔ：トナー
Ｗ：隔壁
【図１】
2006058667.tif 000003
【図２】
2006058667.tif 000004
【図３】
2006058667.tif 000005
【図４】
2006058667.tif 000006
【図５】
2006058667.tif 000007
【図６】
2006058667.tif 000008
【図７】
2006058667.tif 000009
【図８】
2006058667.tif 000010
【図９】
2006058667.tif 000011